(57)【要約】【課題】  波形の山が上下方向全幅にわたって滑らかに連続するのを阻害しないヒダを有するカーテンとヒダの形成方法を提供する。【解決手段】  ヒダ１に、山谷折り部２と、これを正面から覆う山巻部３とを設ける。山巻部３は、生地に形成される縦方向の波形の山１６に連続する湾曲を有する。この山巻部３の内側に山谷折り部２が形成される。山谷折り部２が山巻部３に覆われることによって、カーテンの正面にしわが生じることがなく、波形の山１６が上下に連続する外観を呈するカーテンが構成される。ヒダ１は、（１）ヒダ必要寸法だけ山折りした基部を合わせて縦縫いＡし、波形の山１６に連続する筒状ヒダ４を形成する、（２）筒状ヒダ４を縦縫い部Ａに対称に左右均等に押しつぶして左右両側を内側へ巻き込み、山谷折り部２を形成すると同時に、これを覆う山巻部３を形成する、（３）山巻部３と山谷折り部２を止め縫いＢする３つの工程を含む。【選択図】  図１
2006307372.tif 000002
【特許請求の範囲】
【請求項１】
生地の上縁に山谷折り部を有するヒダが形成されるカーテンにおいて、
前記ヒダが、正面側に湾曲して膨出する山巻部と、この山巻部の内側に形成される山谷折り部を有し、
前記山谷折り部が前記山巻部に覆われることによって、正面視において前記山谷折り部が隠蔽されることを特徴とするカーテン。
【請求項２】
生地に縦方向の波形が形成され、当該波形の山にあたる部分の上縁に山谷折り部を有するヒダが形成されるカーテンにおいて、
前記ヒダが、前記波形の山に連続する湾曲を有する山巻部と、この山巻部の内側に形成される山谷折り部を有し、
前記山谷折り部が前記山巻部に覆われることによって、前記波形の山が上下に連続する外観を呈することを特徴とするカーテン。
【請求項３】
生地に縦方向の波形が形成され、当該波形の山にあたる部分の上縁にヒダが形成されるカーテンにおける当該ヒダの形成方法であって、
生地の上縁部をヒダ必要寸法だけ山折りし、当該山の基部を突き合わせて縦縫いすることにより、前記波形の山に連続する湾曲を有する筒状ヒダを形成する工程と、
前記筒状ヒダを前記縦縫い部に対称に左右均等に押しつぶして左右両側を内側へ巻き込むことによって、山谷折り部を形成すると同時に、この山谷折り部を覆う外側の山巻部を形成する工程と、
前記山巻部を前記山谷折り部もろとも止め縫いする工程とを含むことを特徴とするカーテンのヒダの形成方法。
【発明の詳細な説明】
【技術分野】
【０００１】
この発明は、生地に縦方向の波形が形成され、当該波形の山にあたる部分の上縁に山谷折り部を有するヒダが形成されるカーテンとそのヒダの形成方法に関する。
【背景技術】
【０００２】
近時、カーテンには、主として美感を増す目的で、その上縁部に所要間隔でヒダが形成されることが多い。ヒダは、一般にその内側に、山谷折りにして縫い止められた複数の山を有する（「二山ヒダ」、「三ッ山ヒダ」のように称される）。図５には、三ッ山ヒダ１４を有するカーテンの概略的正面図を示す。特許文献１には、図４に示すように、ヒダ山の数を３箇とした三ッ山ヒダの構造と、その自動縫い方法が記載されている。特許文献１によれば、ヒダの形成は以下のように行われる。（１）生地を所要寸法だけつかんで最初のヒダ１１を形成する。（２）止め縫いにより形成したヒダ１１の基部を生地の縦方向に直線状に閂止め縫いＤする。（３）ヒダ１１の先端を内方に向け２カ所折り込んで、３箇の山１２と２箇の谷１３とを形成する。（４）ヒダの山谷の止め縫いＥを施す。
【特許文献１】特開平８−１５５１６９号公報
【発明の開示】
【発明が解決しようとする課題】
【０００３】
上記のように形成された三ッ山のヒダ１４は、図５に示すように、カーテンの正面上部に山谷部１２，１３としわ１５が生じる。生地に縦方向の波形が形成されたプリーツカーテンでは、波の山１６が上下方向全幅にわたって滑らかに連続することが美感上望ましいが、山谷部１２，１３としわ１５の存在がこれを阻害する。
したがって、この発明は、波形の山が上下方向全幅にわたって滑らかに連続するのを阻害しないヒダを有するカーテンと当該ヒダの形成方法を提供することを課題とする。
【課題を解決するための手段】
【０００４】
上記課題を解決するため、この発明においては、ヒダ１に、山谷折り部２とこれを正面から覆う山巻部３とを設けた。山巻部３は、生地に形成される縦方向の波形の山１６に連続する湾曲を有する。この山巻部３の内側に山谷折り部２が形成される。山谷折り部２が山巻部３に覆われることによって、カーテンの正面にしわが生じることがなく、波形の山１６が上下に連続する外観を呈するカーテンが構成される。生地に形成される縦方向の波形は、加熱プレス成形されるものであっても、またヒダ１の形成により自然に生じるものであってもよい。
また本発明においては、上記ヒダ１を形成するため、次の方法を採用した。この方法は、（１）生地の上縁部をヒダ必要寸法だけ山折りし、当該山の基部を突き合わせて縦縫いＡすることにより、波形の山１６に連続する湾曲を有する筒状ヒダ４を形成する工程、（２）筒状ヒダ４を縦縫い部Ａに対称に左右均等に押しつぶして左右両側を内側へ巻き込むことによって、山谷折り部２を形成すると同時に、この山谷折り部２を覆う外側の山巻部を形成する工程、（３）山巻部３を山谷折り部２もろとも止め縫いＢする工程、の３つの工程を含むものである。
【発明の効果】
【０００５】
この発明においては、山谷折り部２が山巻部３に覆われることによって、カーテンの正面側に、波形の山１６が上下に滑らかに連続する外観を呈する美しいカーテンを提供できる。波形の山１６に連続する湾曲を有する山巻部３が、円筒状に波形の山１６を巻き込む強制力を持つので、カーテンの波形の山１６を一層美しく保つことができる。
【発明を実施するための最良の形態】
【０００６】
図面を参照してこの発明の実施の形態を説明する。図１は本発明のカーテンの正面図、図２（ａ），（ｂ），（ｃ），（ｄ）は、それぞれ図１におけるａ−ａ，ｂ−ｂ，ｃ−ｃ，ｄ−ｄにおける概略的切断端面図、図３はこの発明に係るヒダの形成方法を順を追って示す説明図である。
【０００７】
プリーツカーテンは、生地に縦方向の波形が形成され、当該波形の山１６にあたる部分の上縁に山谷折り部２を有するヒダ１が形成される。ヒダ１は、波形の山１６に連続する湾曲を有する山巻３部と、この山巻部の内側に形成される山谷折り部１２を有する。
山谷折り部２が、山巻部３に覆われることによって、波形の山１６が上下に連続する外観を呈する。
【０００８】
ヒダ１の形成方法を図３を参照して説明する。このカーテンは、生地に縦方向の波形が形成され、当該波形の山１６にあたる部分の上縁にヒダ１が形成されるプリーツカーテンである。ヒダ１は、以下のように形成される。（１）図３（ａ）に示すように、生地の上縁部をヒダ必要寸法だけ山折りし、当該山の基部を突き合わせて縦縫いＡすることにより、波形の山に連続する湾曲を有する筒状ヒダ４を形成する工程、（２）図３（ｂ）に示すように、筒状ヒダ４を縦縫い部Ａに対称に左右均等に押しつぶして左右両側を内側へ巻き込むことによって、図３（ｃ）に示すように、山谷折り部２を形成すると同時に、この山谷折り部を覆う外側の山巻部３を形成する工程、（３）図３（ｄ）に示すように、山巻部３を山谷折り部２もろとも止め縫いＢする工程を経てヒダ１が形成される。
【０００９】
上記のようにヒダ１が形成されたカーテンは、図２に示す各部の端面のように、波形が保持される。山谷折り部２が山巻部３に覆われることによって、山谷折り部２が正面側に現れず、また山巻部３が、波形の山１６に連続する大きな湾曲を有するので、ａ−ａ部において、カーテンの正面側にしわが生じない。したがって、カーテン全体に、複数の波形の山１６が上下に滑らかに連続する外観を呈する。ａ−ａ部において、山巻部３が止め縫いＢされることにより、波形の山１６の左右を円筒状に巻き込む強制力を持つので、その下方におけるプリーツカーテンの波形の山１６を一層美しく保つことができる。
【００１０】
なお、山谷折り部２の山、谷の数は図示のものに限定されることなく、任意である。形成すべき山、谷の数に対応して筒状ヒダ４の寸法を適宜設定すればよい。
この発明が適用されるカーテンには、加熱プレス加工等により生地に波形が形成されたプリーツカーテンのみでなく、そのような加工が施されない通常のカーテンが含まれる。
【産業上の利用可能性】
【００１１】
この発明は、加熱プレス加工等により生地に縦方向の波形が形成されるプリーツカーテン等における波形の山にあたる部分の上縁に形成されるヒダに適用することができる。
【図面の簡単な説明】
【００１２】
【図１】本発明のカーテンの正面図である。
【図２】（ａ），（ｂ），（ｃ），（ｄ）は、それぞれ図１におけるａ−ａ，ｂ−ｂ，ｃ−ｃ，ｄ−ｄにおける概略的切断端面図である。
【図３】この発明に係るヒダの形成方法を順を追って示す説明図である。
【図４】従来の三ッ山ヒダの形成方法を示す説明図である。
【図５】三ッ山ヒダを有する従来のカーテンの概略的正面図である。
【符号の説明】
【００１３】
１      ヒダ
２      山谷折り部
３      山巻部
４      筒状ヒダ
１６      波形の山
Ａ      縦縫い部
Ｂ      止め縫い部
【図１】
2006307372.tif 000003
【図２】
2006307372.tif 000004
【図３】
2006307372.tif 000005
【図４】
2006307372.tif 000006
【図５】
2006307372.tif 000007